(57)【要約】      （修正有）【課題】染髪用ブラシの提供。【解決手段】ハンドル１に垂直の孔１５が設けられてスクリュー３が挿入され並びにハンドルの回転輪２に螺設され、該スクリューの上端に染髪剤管内４に挿入されるベース３１が設けられ、該染髪剤管の正面に垂直の矩形ブロック４３が設けられ、該矩形ブロックに複数の梳き歯４４が設けられ、その間に複数の離間した孔が設けられて二つの垂直チャネルと接続され、上述の染髪剤管の上端開口内にカバー５が嵌合されて矩形ブロックと対応し、並びに染髪剤管上端開口外部にキャップ６が嵌合される。染髪剤を染髪剤管に投入した後、回転輪２を回してスクリュー前端のベースを上昇させて染髪剤管内の空間を縮小することで、染髪剤をカバー内のチャネルを通して矩形ブロックの孔に流入させ、梳き歯により染髪剤で頭髪を染色することができる。【選択図】図１
0003105717.tif 000002
【実用新案登録請求の範囲】
【請求項１】
ハンドル、回転輪、スクリュー、染髪剤管、カバー及びキャップを具え、
該ハンドルは、両側を貫通する貫通孔を具え、上面に凸部が形成され、該凸部に該貫通孔を貫通する孔が設けられ、
該回転輪は、ネジ孔を具え、該ネジ孔内に雌ネジが設けられ、該回転輪は上述のハンドルの貫通孔中に置かれ、
該スクリューは、その前端にベースを具え、該スクリューは上述のハンドルの孔に挿入され、更に上述の貫通孔中の回転輪に螺設され、
該染髪剤管は、その両端に上開口と下開口を具え、該上開口に切欠きが形成され、且つ上開口内部に肩部が形成され、該染髪剤管の正面に矩形ブロックが設けられ、該矩形ブロックに複数の梳き歯が配列され、該矩形ブロックの上面に二つの下チャネルが設けられ、該下チャネルが該矩形ブロックの梳き歯の間に設けられた複数の孔に連通し、該染髪剤管の下開口が上述のハンドルの凸部に嵌合され、
該カバーは、その側面より矩形凸塊が延伸され、該カバーとその矩形凸塊に相互に連通する上チャネルが設けられ、該カバーが上述の染髪剤管の上開口内の肩部に置かれ、側面の矩形凸塊が該上開口の切欠きを通過して矩形ブロックに結合され、
該キャップは、上述の染髪剤管の上開口に嵌合されることを特徴とする、染髪用ブラシ。
【請求項２】
請求項１記載の染髪用ブラシにおいて、カバー側面より延伸された矩形凸塊が底面より突出する上チャネルにより矩形ブロックの上面の下チャネルに嵌合されたことを特徴とする、染髪用ブラシ。
【請求項３】
請求項１記載の染髪用ブラシにおいて、染髪剤管の上開口内の肩部周囲に環状に上ゴムパッキングが設けられたことを特徴とする、染髪用ブラシ。
【請求項４】
請求項１記載の染髪用ブラシにおいて、スクリューのベースの側面に下ゴムパッキングが設けられたことを特徴とする、染髪用ブラシ。
【考案の詳細な説明】
【技術分野】
【０００１】
本考案は頭髪の染色に使用される染髪用ブラシの構造に関する。
【背景技術】
【０００２】
現在、染髪剤の使用は普及しており、美容院や家庭での使用のいずれの場合にも、皿に染髪剤を取り、その後、手袋を装着し、ブラシに染髪剤を付けて頭皮に塗り付ける方法が一般的であった。しかしこのような方法は頭髪染色の目的を達成できるが、染色過程で染髪剤の頭髪への塗布が不均一となりやすく、使用者の手に染髪剤が付着しやすく、使用上、不便で実用的でない。
【０００３】
このような問題を解決するため、図５のような染髪用ブラシが提供された。この染髪用ブラシは染髪剤が染髪剤管１０ａ内に投入され、染髪剤が染髪剤管１０ａ内のベース１１ａに装填され、該ベース１１ａはスクリュー１２ａに固定され、該スクリュー１２ａの染髪剤管１０ａの底面より突出した部分に回転輪１３ａが螺設されている。使用上、回転輪１３ａを回してスクリュー１２ａに組み合わされたベース１１ａを上昇させて染髪剤管１０ａ内の空間を縮小して染髪剤を順調に押し出して使用者の染髪に供する。
【０００４】
上述の周知の染髪用ブラシはブラシに一々染髪剤を付着させてから染髪剤を頭髪に塗布するために染髪ムラが生じる問題を解決する。しかしベースが染髪剤管と良好に接合できないために染髪剤が外漏れし、使用上理想的でないところがある。
【考案の開示】
【考案が解決しようとする課題】
【０００５】
本考案は従来の染髪用ブラシの実際の使用時の欠点と制限を鑑み、それを改善した新たな染髪用ブラシを提供するものである。
【０００６】
即ち本考案の主要な目的は、一種の染髪用ブラシを提供することにあり、それは、従来の染髪用ブラシのベースと染髪剤管の接合性を改善し、染髪剤のベース辺縁からの外漏れを防止したものとする。
【課題を解決するための手段】
【０００７】
請求項１の考案は、ハンドル、回転輪、スクリュー、染髪剤管、カバー及びキャップを具え、
該ハンドルは、両側を貫通する貫通孔を具え、上面に凸部が形成され、該凸部に該貫通孔を貫通する孔が設けられ、
該回転輪は、ネジ孔を具え、該ネジ孔内に雌ネジが設けられ、該回転輪は上述のハンドルの貫通孔中に置かれ、
該スクリューは、その前端にベースを具え、該スクリューは上述のハンドルの孔に挿入され、更に上述の貫通孔中の回転輪に螺設され、
該染髪剤管は、その両端に上開口と下開口を具え、該上開口に切欠きが形成され、且つ上開口内部に肩部が形成され、該染髪剤管の正面に矩形ブロックが設けられ、該矩形ブロックに複数の梳き歯が配列され、該矩形ブロックの上面に二つの下チャネルが設けられ、該下チャネルが該矩形ブロックの梳き歯の間に設けられた複数の孔に連通し、該染髪剤管の下開口が上述のハンドルの凸部に嵌合され、
該カバーは、その側面より矩形凸塊が延伸され、該カバーとその矩形凸塊に相互に連通する上チャネルが設けられ、該カバーが上述の染髪剤管の上開口内の肩部に置かれ、側面の矩形凸塊が該上開口の切欠きを通過して矩形ブロックに結合され、
該キャップは、上述の染髪剤管の上開口に嵌合されることを特徴とする、染髪用ブラシとしている。
請求項２の考案は、請求項１記載の染髪用ブラシにおいて、カバー側面より延伸された矩形凸塊が底面より突出する上チャネルにより矩形ブロックの上面の下チャネルに嵌合されたことを特徴とする、染髪用ブラシとしている。
請求項３の考案は、請求項１記載の染髪用ブラシにおいて、染髪剤管の上開口内の肩部周囲に環状に上ゴムパッキングが設けられたことを特徴とする、染髪用ブラシとしている。
請求項４の考案は、請求項１記載の染髪用ブラシにおいて、スクリューのベースの側面に下ゴムパッキングが設けられたことを特徴とする、染髪用ブラシとしている。
【考案の効果】
【０００８】
本考案は以下のような点が改良されている。
１．染髪剤管の上開口端とベースにゴムパッキングが設けられ、両者の間に効果的に染髪剤を封入でき、染髪剤の外漏れを形成しない。
２．染髪剤管、ハンドル、キャップが楕円形に形成され、且つ三者が相互に嵌合方式で組み合わされ、ゆえに製造上製造の難度が下げられ、使用上の便利性も増されている。
【考案を実施するための最良の形態】
【０００９】
本考案によると、染髪用ブラシのハンドルに垂直の孔が設けられてスクリューが挿入され並びにハンドルの回転輪に螺設され、該スクリューの上端に染髪剤管内に挿入されるベースが設けられ、該染髪剤管の正面に垂直の矩形ブロックが設けられ、該矩形ブロックに複数の梳き歯が設けられ、その間に複数の離間した孔が設けられて二つの垂直チャネルと接続され、上述の染髪剤管の上端開口内にカバーが嵌合されて矩形ブロックと対応し、並びに染髪剤管上端開口外部にキャップが嵌合される。染髪剤を染髪剤管に投入した後、回転輪を回してスクリュー前端のベースを上昇させて染髪剤管内の空間を縮小することで、染髪剤をカバー内のチャネルを通して矩形ブロックの孔に流入させ、梳き歯により染髪剤で頭髪を染色することができる。
【実施例１】
【００１０】
図１、３は本考案の立体分解図、及び組合せ断面図である。本考案はハンドル１、回転輪２、スクリュー３、染髪剤管４、カバー５及びキャップ６を具えている。
【００１１】
該ハンドル１の上方は円弧形の凹部１１とされ、該凹部１１の中間にハンドル１の両側を貫通する貫通孔１２が設けられ、該ハンドル１の中間及び下方は幅が漸次細くなる円弧面とされ、この円弧面にストライプ状溝１３が環状に設けられている。このほか、ハンドル１の上面に直径が縮小された楕円形凸部１４が設けられ、該楕円形凸部１４の中心に孔１５が設けられて凹部１１の貫通孔１２を通りハンドル１の内部に貫通している。
【００１２】
該回転輪２は楕円形とされ、その中心にネジ孔２１が設けられ、該ネジ孔２１に雌ネジが設けられている。
【００１３】
該スクリュー３は前端に楕円形ベース３１を具え、該ベース３１の側面に下ゴムパッキンググ３２が設けられている。
【００１４】
上述の染髪剤管４の端面は楕円形とされ、その両端に上開口４１と下開口４２が設けられ、該染髪剤管４の上開口４１内に肩部が設けられ、該肩部に環状に上ゴムパッキング４６が設けられ、且つ該染髪剤管４の上開口４１の正面に切欠きが設けられ、該切欠きの下方に垂直の矩形ブロック４３が設けられ、該矩形ブロック４３の傍らに、矩形ブロック４３の配列に沿って目盛り４７が設けられ、上述の矩形ブロック４３に複数の梳き歯４４が設けられ、該複数の梳き歯４４の上下面は円弧形とされ、該矩形ブロック４３の上面に二つの垂直な下チャネル４５が設けられ、且つ下チャネル４５は矩形ブロック４３の梳き歯４４の間に設けられた複数の孔に連通している。
【００１５】
該カバー５は楕円形とされ、その側面より矩形凸塊５１が延伸され、該カバー５と矩形凸塊５１の間に相互に連通する上チャネル５２が設けられ、該上チャネル５２は矩形凸塊５１の底面より突出している。
【００１６】
図２の本考案の立体組合せ図、及び図３を図１と共に参照されたい。本考案は組立時に、まず回転輪２をハンドル１の凹部１１の貫通孔１２中に挿入し、続いてスクリュー３をハンドル１の上面の孔１５より挿入してハンドル１の凹部１１の貫通孔１２に位置する回転輪２に螺設し、スクリュー３の前端のベース３１をハンドル１の楕円形凸部１４の上に位置させ、更に染髪剤管４の下開口４２をハンドル１の楕円形凸部１４に嵌合し、その後、カバー５を染髪剤管４の上開口４１内の肩部に置くと共に、カバー５の側部の矩形凸塊５１に染髪剤管４の上開口４１の切欠きを通過させ、矩形凸塊５１の底面より突出した上チャネル５２を染髪剤管４の矩形ブロック４３の上面の下チャネル４５に嵌合させ、最後にキャップ６を染髪剤管４の上開口４１に嵌合し、こうして本考案の組立を完成する。
【００１７】
最後に図３、及び図４の本考案の使用動作図を、図１、２と共に参照されたい。本考案は使用上、先ず染髪剤管４の上開口４１より染髪剤を投入し、更にカバー５を染髪剤管４の上開口４１内の肩部に置き、側部の矩形凸塊５１の上チャネル５２を染髪剤管４の矩形ブロック４３の下チャネル４５に嵌合させ、更にキャップ６を染髪剤管４の上開口４１に嵌合し、染髪剤をカバー５とベース３１の間に位置させる。染髪剤管４の上開口４１の肩部周囲に設けられた上ゴムパッキング４６及びベース３１の側部に設けられた下ゴムパッキング３２により染髪剤の染髪剤管４からの漏出が防止され、並びに染髪剤管４の傍らに刻まれた目盛りにより使用者が染髪剤の充填量を知ることができる。その後、使用者が回転輪２を回してスクリュー３前端のベース３１を上昇させると、染髪剤管４内の使用空間が縮小され、染髪剤がカバー５内の上チャネル５２より染髪剤管４正面の矩形ブロック４３の下チャネル４５に流入し、染髪剤が下チャネル４５より矩形ブロック４３の孔に流入し、梳き歯４４で頭髪をブラッシングすることで頭髪を染色することができる。
【００１８】
以上は本考案の好ましい実施例の説明であり、本考案の実施範囲を限定するものではなく、以上の説明、及び図面に基づきなしうる細部の修飾或いは改変は、いずれも本考案の請求範囲に属するものとする。
【００１９】
本考案は確実に予期された機能と目的を達成し、ゆえに本考案は実用性と進歩性を有し、またその構造とその特徴はその出願前に頒布された刊行物に記載がなく、また公開使用されていないため新規性を有している。
【図面の簡単な説明】
【００２０】
【図１】本考案の立体分解図である。
【図２】本考案の立体組合せ図である。
【図３】本考案の組合せ断面図である。
【図４】図３の使用動作図である。
【図５】従来の染髪用ブラシの使用動作図である。
【符号の説明】
【００２１】
１  ハンドル                    １１  凹部
１２  貫通孔                    １３  ストライプ状溝
１４  楕円形凸部                １５  孔
２  回転輪                      ２１  ネジ孔
３  スクリュー                  ３１  ベース
３２  下ゴムパッキング          ４  染髪剤管
４１  上開口                    ４２  下開口
４３  矩形ブロック              ４４  梳き歯
４５  下チャネル                ４６  上ゴムパッキング
４７  目盛り                    ５  カバー板
５１  矩形凸塊                  ５２  上チャネル
６  キャップ                    １０ａ  染髪剤管
１１ａ  ベース                  １２ａ  スクリュー
１３ａ  回転輪
【図１】
0003105717.tif 000003
【図２】
0003105717.tif 000004
【図３】
0003105717.tif 000005
【図４】
0003105717.tif 000006
【図５】
0003105717.tif 000007